(57)【要約】【課題】オン期間が短くてもＬＥＤを点灯させることができるＬＥＤ駆動装置を提供する。【解決手段】ＬＥＤ駆動回路１は、昇圧回路２と、発光パターン発生器５と、オン期間において、ＬＥＤ７に流れる電流を昇圧回路２にフィードバックし、オフ期間において、昇圧回路２の出力電圧を分圧して得られる電圧信号を昇圧回路２にフィードバックする切替スイッチ３とを備える。【選択図】図１
2014003143.tif 000002
【特許請求の範囲】
【請求項１】
昇圧回路を備え、スイッチング方式にてＬＥＤを駆動するＬＥＤ駆動装置であって、
スイッチング素子のオンオフを指定するオンオフ信号がオンを指定しているオン期間において、上記ＬＥＤに流れる電流を上記昇圧回路にフィードバックし、上記オンオフ信号がオフを指定しているオフ期間において、上記昇圧回路の出力電圧を分圧して得られる電圧信号を上記昇圧回路にフィードバックする切替手段を備えている、
ことを特徴とするＬＥＤ駆動装置。
【請求項２】
上記電圧信号を記憶する記憶回路をさらに備え、
上記切替手段は、上記オフ期間において、上記記憶回路に記憶された電圧信号を上記昇圧回路にフィードバックする請求項１に記載のＬＥＤ駆動装置。
【請求項３】
上記電圧信号の電圧は、上記オフ期間における昇圧回路の出力電圧の増大を相殺するように、上記オン期間における昇圧回路の出力電圧に対応する電圧よりも低く設定されている請求項１に記載のＬＥＤ駆動装置。
【請求項４】
上記電圧信号の電圧は、上記オフ期間における昇圧回路の出力電圧の増大を相殺するように、予め定められた電圧に設定されている請求項１に記載のＬＥＤ駆動装置。
【請求項５】
上記オンオフ信号を生成する発光パターン発生器をさらに備える請求項１に記載のＬＥＤ駆動装置。
【請求項６】
請求項１から５の何れか１項に記載のＬＥＤ駆動装置を備え、上記ＬＥＤ駆動装置によってバックライトを駆動することを特徴とするテレビジョン受像機。
【発明の詳細な説明】
【技術分野】
【０００１】
本発明は、昇圧回路を備え、スイッチング素子のオンオフを指定するオンオフ信号に基づいて、スイッチング方式にて発光ダイオード（以下「ＬＥＤ」という）を駆動するＬＥＤ駆動装置に関する。
【背景技術】
【０００２】
液晶ＴＶ等のバックライトにＬＥＤを使用する場合、昇圧回路によりＬＥＤ点灯用の電圧源を供給し、ＬＥＤに流れる電流を所望の発光輝度が得られるように、オン／オフするパルス幅変調のデューティ比（ＰＷＭ−Ｄｕｔｙ）を調整する構成が知られている（特許文献１）。
【０００３】
図９は、従来のＬＥＤ駆動装置１０００の構成を示す回路図である。ＬＥＤ駆動装置１０００は、ＬＥＤ３００Ｒ〜３００Ｂと、ＬＥＤ３００Ｒ〜３００Ｂを駆動するための電源装置１００とを含む。ＬＥＤ駆動装置１０００は、電池２００により駆動され、電源装置１００は、電池２００から出力される電池電圧を昇圧してＬＥＤ３００Ｒ〜３００Ｂを駆動するための駆動電圧Ｖｏｕｔを生成する。以下、各色に対応づけて各構成要素に付された添え字Ｒ、Ｇ、Ｂは、特に各色を区別する必要のないときは省略する。
【０００４】
電源装置１００は、電池電圧が入力される入力端子１０２と、ＬＥＤ３００のアノード端子に接続され、電池電圧を昇圧して得られる出力電圧Ｖｏｕｔを出力する出力端子１０４と、ＬＥＤ３００のカソード端子に接続されるＬＥＤ端子１０６とを含む。
【０００５】
電源装置１００は、昇圧回路６０と駆動制御部７０とを含む。昇圧回路６０は、入力端子１０２から入力された電池電圧を昇圧し、出力端子１０４から出力電圧Ｖｏｕｔを出力する。
【０００６】
昇圧回路６０は、スイッチングレギュレータ、チャージポンプ回路等のスイッチング素子を含むスイッチング電源として構成されている。昇圧回路６０は、イネーブル端子ＥＮを備えており、イネーブル端子ＥＮに入力されるイネーブル信号ＳＩＧ１２がハイレベルのとき、スイッチング動作を行って電池電圧を昇圧し、ローレベルのときスイッチング動作を停止する。
【０００７】
駆動制御部７０は、ＬＥＤ３００Ｒ〜３００Ｂそれぞれの駆動状態を制御する。駆動制御部７０は、定電流回路２２Ｒ〜２２Ｂと、スイッチ２４Ｒ〜２４Ｂと、ＡＮＤゲート２６Ｒ〜２６Ｂと、輝度調整用ＰＷＭ発振器３０と、発光パターン発生器８２と、ＯＲゲート３４とを含む。
【０００８】
発光パターン発生器８２は、メモリに記憶されたデータまたは外部から入力されたデータに基づいて、各ＬＥＤ３００Ｒ〜３００Ｂの発光及び停止を制御する。発光パターン発生器８２は、各色に対応した発光制御信号ＳＩＧ１０Ｒ〜ＳＩＧ１０Ｂを生成する。各発光制御信号ＳＩＧ１０がハイレベルのとき、対応するＬＥＤ３００は発光し、ローレベルのときＬＥＤ３００は発光を停止する。
【０００９】
定電流回路２２は、ＬＥＤ端子１０６を介してＬＥＤ３００のカソードと接続され、各ＬＥＤ３００Ｒ〜３００Ｂの電流経路上に設けられている。スイッチ２４は、各定電流回路２２による電流生成をオン、オフする。
【００１０】
輝度調整用ＰＷＭ発振器３０は、スイッチ２４をオンオフさせるためのＰＷＭ信号ＳＩＧ１４を生成する。輝度調整用ＰＷＭ発振器３０は、電圧比較器４０と、発振器４２と、基準電圧源４４とを含む。基準電圧源４４は、ＲＧＢ各色に対応した基準電圧Ｖｒｅｆを生成する。発振器４２は、三角波またはノコギリ波状の周期電圧Ｖｏｓｃを発生する。
【００１１】
ＡＮＤゲート２６には、発光パターン発生器８２から出力される発光制御信号ＳＩＧ１０と、輝度調整用ＰＷＭ発振器３０から出力されるＰＷＭ信号ＳＩＧ１４とが入力される。ＡＮＤゲート２６は、２つの入力信号の論理積を出力信号ＳＩＧ１６として出力する。ＡＮＤゲート２６の出力信号ＳＩＧ１６は、発光制御信号ＳＩＧ１０及びＰＷＭ信号ＳＩＧ１４の両方がハイレベルのときハイレベルとなる。
【００１２】
ＯＲゲート３４には、発光パターン発生器８２から出力される３つの発光制御信号ＳＩＧ１０Ｒ〜ＳＩＧ１０Ｂが入力されている。ＯＲゲート３４は、３つの入力信号の論理和を昇圧回路６０のイネーブル端子ＥＮに出力する。
【００１３】
以上のように構成されたＬＥＤ駆動装置１０００においては、電源装置１００において、昇圧回路６０は、複数のＬＥＤ３００Ｒ〜３００Ｂに駆動電圧Ｖｏｕｔを供給する。駆動制御部７０は、ＬＥＤ３００Ｒ〜３００Ｂそれぞれの駆動状態、すなわち発光輝度を制御する。駆動制御部７０は、複数の負荷回路を時分割的に駆動するとともに、昇圧回路６０は、イネーブル端子ＥＮを備えており、駆動制御部７０によっていずれのＬＥＤ３００Ｒ〜３００Ｂも駆動されない非発光期間にスイッチング動作を停止する。
【００１４】
発光パターン発生器８２は、各ＬＥＤ３００の発光を指示する発光制御信号ＳＩＧ１０Ｒ〜ＳＩＧ１０Ｂを生成する。昇圧回路６０は、発光制御信号ＳＩＧ１０Ｒ〜ＳＩＧ１０Ｂを論理演算することにより、いずれのＬＥＤ３００も発光しない非発光期間においてスイッチング動作を停止する。
【００１５】
このように、ＬＥＤ駆動装置１０００は、スイッチ２４Ｒ〜２４Ｂのオン、オフによってＬＥＤ３００Ｒ〜３００Ｂの点灯／消灯を実施し、ＬＥＤ３００Ｒ〜３００Ｂの消灯時は昇圧回路１０の発振を停止することにより消費電力を抑えることができる。
【００１６】
図１０は、従来の他のＬＥＤ駆動装置の構成を示す回路図である。ＬＥＤ駆動装置は、直流電源２０１と電圧検知装置２０２と制御回路２０３と入力スイッチ回路２０４と出力スイッチ回路２０５と信号成形回路２０６と昇圧回路２０７と電流検出回路２０８とを備えている。
【００１７】
直流電源２０１は、ほぼ一定な直流電圧を出力電圧として発生し、直流電源２０１に接続された負荷に応じた電流を出力する。電圧検知装置２０２は、直流電源２０１の出力電圧Ｖｉｎが所定の閾値よりも低くなった場合に、直流電源２０１から昇圧回路２０７への電力供給を遮断するための制御信号を出力する。制御回路２０３は、入力スイッチ回路２０４及び出力スイッチ回路２０５を制御する制御信号を出力する。信号成形回路２０６は、端子１１に印加された点灯制御信号のレベルをハイからローへ、または、ローからハイへ反転させる。
【００１８】
昇圧回路２０７は、電源電圧Ｖｉｎを昇圧して出力電圧とし、点灯制御信号に応じた出力電流ＩｏをＬＥＤ群２１１に導通させる。電流検出回路２０８は、例えば、ＬＥＤ群２１１に直列に接続された抵抗の両端電圧を検出し、その電圧を昇圧回路２０７の制御回路２７１に入力し、制御回路２７１は、ＬＥＤ群２１１に流れる電流の平均値が一定になるように定電流制御を行う。
【００１９】
出力スイッチ回路２０５は、ＬＥＤ群２１１に対して並列に接続され、点灯制御信号に同期してＬＥＤ群２１１の消灯期間における昇圧回路７からの出力電流を強制減衰させる。
【先行技術文献】
【特許文献】
【００２０】
【特許文献１】特開2006-210435号公報（2006年8月10日公開）
【特許文献２】特開2010-15883号公報（2010年1月21日公開）
【発明の概要】
【発明が解決しようとする課題】
【００２１】
図９及び図１０にそれぞれ示した特許文献１及び２の構成では、昇圧回路の出力電圧は、オフ期間において、低下・減衰し、そして、オフ期間からオン期間に移ると、オフ期間において低下・減衰していた昇圧回路の出力電圧は上昇を開始し、ＬＥＤ点灯電圧閾値を超えてＬＥＤが点灯する。
【００２２】
しかしながら、ＬＥＤの発光輝度を極度に暗くしたい場合には、オン期間が極度に短くなり、その結果、オン期間になって上昇を開始した昇圧回路の出力電圧が、ＬＥＤ点灯電圧の閾値を超える前に、オン期間が終了してしまい、ＬＥＤを点灯させることができないという問題が生じる。
【００２３】
本発明の目的は、ＬＥＤをオンオフさせるオンオフ信号のオン期間が短くてもＬＥＤを点灯させることができるＬＥＤ駆動装置を提供することにある。
【課題を解決するための手段】
【００２４】
上記の課題を解決するために、本発明に係るＬＥＤ駆動装置は、昇圧回路を備え、スイッチング方式にてＬＥＤを駆動するＬＥＤ駆動装置であって、スイッチング素子のオンオフを指定するオンオフ信号がオンを指定しているオン期間において、上記ＬＥＤに流れる電流を上記昇圧回路にフィードバックし、上記オンオフ信号がオフを指定しているオフ期間において、上記昇圧回路の出力電圧を分圧して得られる電圧信号を上記昇圧回路にフィードバックする切替手段を備えている、ことを特徴とする。
【００２５】
この特徴により、オンオフ信号がオフを指定しているオフ期間において、昇圧回路の出力電圧を分圧して得られる電圧信号が、昇圧回路にフィードバックされる。このため、ＬＥＤ点灯時間が短い場合のオフ期間において、昇圧回路の出力電圧の低下が防止される。従って、ＬＥＤ点灯時間が短くても昇圧回路出力電圧の低下を防止することができる。その結果、ＬＥＤをオンオフさせるオンオフ信号のオン期間であるＬＥＤ点灯時間が短くてもＬＥＤを点灯させることができるＬＥＤ駆動回路を提供することができる。
【００２６】
本発明に係るＬＥＤ駆動装置では、上記電圧信号を記憶する記憶回路をさらに備え、上記切替手段は、上記オフ期間において、上記記憶回路に記憶された電圧信号を上記昇圧回路にフィードバックすることが好ましい。
【００２７】
上記構成により、オン期間における昇圧回路の出力電圧を記憶して、オフ期間における電圧信号として利用することができる。
【００２８】
本発明に係るＬＥＤ駆動装置では、上記電圧信号の電圧は、上記オフ期間における昇圧回路の出力電圧の増大を相殺するように、上記オン期間における昇圧回路の出力電圧に対応する電圧よりも低く設定されていることが好ましい。
【００２９】
上記構成によれば、電圧信号の電圧がオン期間における昇圧回路の出力電圧に対応する電圧よりも低く設定されて、オフ期間における昇圧回路の出力電圧の増大が相殺される。この結果、ノイズ、部品バラツキ等により、オフ期間における昇圧回路の出力電圧が、オン期間における昇圧回路の出力電圧よりも高い電圧となってしまった場合でも、オン期間の最初に設定値よりも大きな電流がＬＥＤに流れてしまうことを防止することができる。
【００３０】
本発明に係るＬＥＤ駆動装置では、上記電圧信号の電圧は、上記オフ期間における昇圧回路の出力電圧の増大を相殺するように、予め定められた電圧に設定されていることが好ましい。
【００３１】
上記構成によれば、電圧信号の電圧は予め定められた電圧に設定すればよいので、オン期間における昇圧回路の出力電圧を記憶する回路が不要であり、回路を簡略化することができる。
【００３２】
本発明に係るＬＥＤ駆動装置では、上記オンオフ信号を生成する発光パターン発生器をさらに備えることが好ましい。
【００３３】
上記構成によれば、発光パターン発生器により生成されたオンオフ信号を使用することができるので、外部からオンオフ信号を入力する必要がなくなる。
【００３４】
なお、上記ＬＥＤ駆動装置を備え、上記ＬＥＤ駆動装置によってバックライトを駆動するテレビジョン受像機も本発明の範疇に含まれる。
【発明の効果】
【００３５】
本発明に係る、ＬＥＤ駆動装置では、オンオフ信号がオフを指定しているオフ期間において、昇圧回路の出力電圧を分圧して得られる電圧信号が、昇圧回路にフィードバックされる。このため、ＬＥＤ点灯時間が短い場合のオフ期間において、昇圧回路の出力電圧の低下が防止される。従って、ＬＥＤ点灯時間が短くても昇圧回路出力電圧の低下を防止することができる。その結果、ＬＥＤをオンオフさせるオンオフ信号のオン期間であるＬＥＤ点灯時間が短くてもＬＥＤを点灯させることができるＬＥＤ駆動回路を提供することができる。
【図面の簡単な説明】
【００３６】
【図１】実施の形態１に係るＬＥＤ駆動装置の構成を示す回路図である。
【図２】（ａ）、（ｂ）は比較例に係るＬＥＤ駆動装置の動作を示す波形図である。
【図３】（ａ）、（ｂ）は実施の形態１に係るＬＥＤ駆動装置の動作を示す波形図である。
【図４】実施の形態２に係るＬＥＤ駆動装置の構成を示す回路図である。
【図５】（ａ）、（ｂ）は他の比較例に係るＬＥＤ駆動装置の動作を示す波形図である。
【図６】（ａ）、（ｂ）は実施の形態２に係るＬＥＤ駆動装置の動作を示す波形図である。
【図７】実施の形態３に係るＬＥＤ駆動装置の構成を示す回路図である。
【図８】（ａ）、（ｂ）は実施の形態３に係るＬＥＤ駆動装置の動作を示す波形図である。
【図９】従来のＬＥＤ駆動装置の構成を示す回路図である。
【図１０】従来の他のＬＥＤ駆動装置の構成を示す回路図である。
【発明を実施するための形態】
【００３７】
以下、本発明の実施の形態について、詳細に説明する。
【００３８】
（実施の形態１）
実施の形態１に係るＬＥＤ駆動装置１では、ＬＥＤ点灯時は、ＬＥＤ電流が所望の値になるように、昇圧回路の発振を調整して出力電圧を調整する（電流制御）。そして、ＬＥＤ消灯時は、点灯時における昇圧回路の出力電圧を維持するように、昇圧回路の発振を調整する（電圧制御）。これにより、ＬＥＤの点灯時間が短くても、昇圧回路の出力電圧が低下することが防止されるため、ＬＥＤを点灯することが可能となる。
【００３９】
（ＬＥＤ駆動装置１の構成）
図１は、実施の形態１に係るＬＥＤ駆動装置１の構成を示す回路図である。ＬＥＤ駆動装置１は、昇圧回路２を備えている。昇圧回路２の入力側は電源１１の一端に接続されている。昇圧回路２の出力側は、直列に接続された３個のＬＥＤ７のうちの一端のＬＥＤ７に結合されている。なお、ＬＥＤ７が３個の例を示しているが、本発明はこれに限定されない。ＬＥＤ７は、１個であってもよく、３個以外の複数個であってもよい。
【００４０】
１個または複数個のＬＥＤ７のうちの他端のＬＥＤ７は、トランジスタ６（スイッチング素子）のドレインに結合されている。トランジスタ６のソースは、抵抗Ｒ４を介して電源１１の他端に接続されている。トランジスタ６は、寄生ダイオード１０を有している。
【００４１】
ＬＥＤ駆動装置１には、発光パターン発生器５が設けられている。発光パターン発生器５は、ＬＥＤ７の発光パターンを表す信号を生成し、トランジスタ６のゲートに供給する。
【００４２】
ＬＥＤ駆動装置１は、増幅器８Ａを有している。増幅器８Ａの反転入力端子は、トランジスタ６のソースと抵抗Ｒ４との間に結合されている。増幅器８Ａの非反転入力端子は、可変電源Ｅ２を介して接地されている。増幅器８Ａの出力は、切替スイッチ３の端子Ａ２に接続されている。
【００４３】
ＬＥＤ駆動装置１には、増幅器８Ｂと記憶回路４とを有している。記憶回路４には、スイッチ９が設けられている。スイッチ９は、端子Ａ４・Ａ５・Ａ６を有している。端子Ａ４と、増幅器８Ｂの反転入力端子とは、直列に接続された抵抗Ｒ１・Ｒ２を介して昇圧回路２の出力に結合されている。端子Ａ５は、増幅器８Ｂの非反転入力端子と容量Ｃ１の一方の端子に接続されている。容量Ｃ１の他方の端子は接地されている。スイッチ９は、発光パターン生成器５の出力に基づいて、端子Ａ４を端子Ａ５と端子Ａ６とのいずれかに接続する。
【００４４】
増幅器８Ｂの出力は、切替スイッチ３の端子Ａ３に結合されている。切替スイッチ３の端子Ａ１は、昇圧回路２のフィードバック端子に接続されている。切替スイッチ３は、発光パターン発生器５の出力に基づいて、端子Ａ１を端子Ａ２と端子Ａ３とのいずれかに接続する。
【００４５】
抵抗Ｒ３の一端は、抵抗Ｒ２の抵抗Ｒ１と反対側の一端と接続され、抵抗Ｒ３の他端は、抵抗Ｒ４と電源１１との間に接続されている。端子Ａ４と、増幅器８Ｂの反転入力端子とは、抵抗Ｒ２と抵抗Ｒ３との間に接続されている。
【００４６】
（比較例に係るＬＥＤ駆動装置の動作）
図２（ａ）、（ｂ）は比較例に係るＬＥＤ駆動装置の動作を示す波形図である。比較例に係るＬＥＤ駆動装置では、昇圧回路の出力電圧Ｓ２は、ＬＥＤの消灯期間（オフ期間）において、低下・減衰し、そして、ＬＥＤの消灯期間から点灯期間に移ると、消灯期間において低下・減衰していた昇圧回路の出力電圧Ｓ２は上昇を開始し、ＬＥＤ点灯電圧閾値を超えてＬＥＤが点灯する。しかしながら、ＬＥＤの発光輝度を極度に暗くしたい場合に、ＬＥＤの点灯時間（オン期間、例えば、時刻Ｔ１〜時刻Ｔ１０）が極度に短くなり、その結果、ＬＥＤの点灯時間（例えば、時刻Ｔ１〜時刻Ｔ１０）になって上昇を開始した昇圧回路の出力電圧Ｓ５が、ＬＥＤ点灯電圧の閾値Ｔｈ１を超える前にＬＥＤの点灯時間が終了してしまい、ＬＥＤを点灯させることができないという問題が生じる。
【００４７】
まず、図２（ａ）を参照してＬＥＤ点灯時間が長い場合の動作を説明する。時刻Ｔ１において、ＬＥＤ点灯／消灯信号Ｓ１は、消灯を示すローレベルから点灯を示すハイレベルに立ち上がり、昇圧回路出力電圧Ｓ２は上昇を開始する。そして、時刻Ｔ２において、昇圧回路出力電圧Ｓ２は、ＬＥＤが点灯する電圧閾値Ｔｈ１に到達すると、ＬＥＤ電流Ｓ３がローレベルからハイレベルに立ち上がり、ＬＥＤ７が点灯する。
【００４８】
次に、時刻Ｔ３において、ＬＥＤ点灯／消灯信号Ｓ１がハイレベルからローレベルに立ち下がると、昇圧回路出力電圧Ｓ２は電圧閾値Ｔｈ１から減少を開始し、ＬＥＤ電流Ｓ３はハイレベルからローレベルに立ち下がり、ＬＥＤ７が消灯する。
【００４９】
その後、時刻Ｔ４において、ＬＥＤ点灯／消灯信号Ｓ１がローレベルからハイレベルに立ち上がると、減少を続けていた昇圧回路出力電圧Ｓ２は、反転して上昇を開始する。次に、時刻Ｔ５において、昇圧回路出力電圧Ｓ２が電圧閾値Ｔｈ１に到達すると、ＬＥＤ電流Ｓ３がローレベルからハイレベルに立ち上がり、ＬＥＤ７が点灯する。
【００５０】
次に、時刻Ｔ６において、ＬＥＤ点灯／消灯信号Ｓ１がハイレベルからローレベルに立ち下がると、昇圧回路出力電圧Ｓ２は電圧閾値Ｔｈ１から減少を開始し、ＬＥＤ電流Ｓ３はハイレベルからローレベルに立ち下がり、ＬＥＤ７が消灯する。
【００５１】
その後、時刻Ｔ７において、ＬＥＤ点灯／消灯信号Ｓ１がローレベルからハイレベルに立ち上がると、減少を続けていた昇圧回路出力電圧Ｓ２は、反転して上昇を開始する。次に、時刻Ｔ８において、昇圧回路出力電圧Ｓ２が電圧閾値Ｔｈ１に到達すると、ＬＥＤ電流Ｓ３がローレベルからハイレベルに立ち上がり、ＬＥＤ７が点灯する。
【００５２】
次に、時刻Ｔ９において、ＬＥＤ点灯／消灯信号Ｓ１がハイレベルからローレベルに立ち下がると、昇圧回路出力電圧Ｓ２は電圧閾値Ｔｈ１から減少を開始し、ＬＥＤ電流Ｓ３はハイレベルからローレベルに立ち下がり、ＬＥＤ７が消灯する。
【００５３】
次に、図２（ｂ）を参照してＬＥＤ点灯時間が短い場合の動作を説明する。時刻Ｔ１において、ＬＥＤ点灯／消灯信号Ｓ４は、消灯を示すローレベルから点灯を示すハイレベルに立ち上がり、昇圧回路出力電圧Ｓ５は上昇を開始する。そして、時刻Ｔ１０において、ＬＥＤ点灯／消灯信号Ｓ４が、ハイレベルからローレベルに立ち下がると、昇圧回路出力電圧Ｓ５は、電圧閾値Ｔｈ１に到達する前に上昇動作を終了し、下降動作を開始する。ＬＥＤ電流はローレベルを維持し、ＬＥＤ７は消灯状態を続ける。
【００５４】
次に、時刻Ｔ４において、ＬＥＤ点灯／消灯信号Ｓ４がローレベルからハイレベルに立ち上がると、下降を続けていた昇圧回路出力電圧Ｓ５は再び上昇を開始する。ＬＥＤ電流はローレベルを維持し、ＬＥＤ７は消灯状態を続ける。
【００５５】
そして、時刻Ｔ１１において、ＬＥＤ点灯／消灯信号Ｓ４が、ハイレベルからローレベルに立ち下がると、昇圧回路出力電圧Ｓ５は、電圧閾値Ｔｈ１に到達する前に上昇動作を終了し、下降動作を開始する。ＬＥＤ電流はローレベルを維持し、ＬＥＤ７は消灯状態を続ける。以降、時刻Ｔ７、時刻Ｔ１２において、同様の動作を繰り返す。
【００５６】
図３（ａ）、（ｂ）は実施の形態１に係るＬＥＤ駆動装置１の動作を示す波形図である。図３（ａ）、（ｂ）に示すように、実施の形態１に係るＬＥＤ駆動装置１では、ＬＥＤ点灯時は一般的なＬＥＤドライバと同様に、ＬＥＤ電流を検出して、ＬＥＤ電流が一定になるように昇圧回路２の出力電圧を調整する。ＬＥＤ消灯時は、昇圧回路２の出力電圧を検出して、ＬＥＤ点灯時の出力電圧となるように、昇圧回路２の出力電圧を一定に保つ。
【００５７】
これにより、一般的なＬＥＤドライバでは、図２（ｂ）で前述したように、ＬＥＤ点灯時間が短い場合に、ＬＥＤを点灯できなかったが、本実施の形態により、ＬＥＤ点灯時間が短い場合でも点灯可能となる。
【００５８】
まず、図３（ａ）を参照してＬＥＤ点灯時間が長い場合の動作を説明する。時刻Ｔ１において、発光パターン発生器５が、ＬＥＤ点灯／消灯信号Ｓ１を、消灯を示すローレベルから点灯を示すハイレベルに立ち上げると、トランジスタ６がオンされ、切替スイッチ３がＬＥＤ電流に対応する端子Ａ２側に切り替えられ、スイッチ９が端子Ａ５側に切り替わる。このため、昇圧回路２の出力電圧が記憶回路４の容量Ｃ１に記憶される。
【００５９】
昇圧回路出力電圧Ｓ２ＡはＬＥＤ７が点灯する電圧閾値Ｔｈ１以上の値を維持し、トランジスタ６のオンに応じて、ＬＥＤ電流Ｓ３Ａはローレベルからハイレベルに立ち上がり、ＬＥＤ７が点灯する。そして、ＬＥＤ電流が端子Ａ２を介して昇圧回路２にフィードバックされる。
【００６０】
次に、時刻Ｔ３において、発光パターン発生器５がＬＥＤ点灯／消灯信号Ｓ１をハイレベルからローレベルに立ち下げると、トランジスタ６がオフされ、ＬＥＤ電流Ｓ３Ａはハイレベルからローレベルに立ち下がり、ＬＥＤ７は消灯する。
【００６１】
このＬＥＤ点灯／消灯信号Ｓ１の立下りに応じて、スイッチ９は端子Ａ５から端子Ａ６に切り替えられ、切替スイッチ３は端子Ａ３に切り替えられる。このため、記憶回路４の容量Ｃ１に記憶された昇圧回路２の出力電圧に対応する電圧が、端子Ａ３を介して昇圧回路２にフィードバックされる。この結果、昇圧回路出力電圧Ｓ２Ａは、引き続き電圧閾値Ｔｈ１以上の値を維持する。
【００６２】
その後、時刻Ｔ４において、発光パターン発生器５が、ＬＥＤ点灯／消灯信号Ｓ１を、ローレベルからハイレベルに立ち上げると、トランジスタ６が再びオンされ、切替スイッチ３が再び端子Ａ２側に切り替えられ、スイッチ９が再び端子Ａ５側に切り替わる。このため、昇圧回路２の出力電圧が記憶回路４の容量Ｃ１に再び記憶され、ＬＥＤ電流が端子Ａ２を介して昇圧回路２にフィードバックされる。
【００６３】
昇圧回路出力電圧Ｓ２Ａは電圧閾値Ｔｈ１以上の値を維持し、トランジスタ６のオンに応じて、ＬＥＤ電流Ｓ３Ａはローレベルからハイレベルに立ち上がり、ＬＥＤ７が再び点灯する。
【００６４】
以降、時刻Ｔ６、時刻Ｔ７、時刻Ｔ９において同様の動作を繰り返す。
【００６５】
次に、図３（ｂ）を参照してＬＥＤ点灯時間が短い場合の動作を説明する。時刻Ｔ１において、発光パターン発生器５が、ＬＥＤ点灯／消灯信号Ｓ４を、消灯を示すローレベルから点灯を示すハイレベルに立ち上げると、トランジスタ６がオンされ、切替スイッチ３がＬＥＤ電流に対応する端子Ａ２側に切り替えられ、スイッチ９が端子Ａ５側に切り替わる。このため、昇圧回路２の出力電圧が記憶回路４の容量Ｃ１に記憶される。
【００６６】
昇圧回路出力電圧Ｓ５ＡはＬＥＤ７が点灯する電圧閾値Ｔｈ１以上の値を維持し、トランジスタ６のオンに応じて、ＬＥＤ電流Ｓ６Ａはローレベルからハイレベルに立ち上がり、ＬＥＤ７が点灯する。そして、ＬＥＤ電流が端子Ａ２を介して昇圧回路２にフィードバックされる。
【００６７】
次に、時刻Ｔ１０において、発光パターン発生器５がＬＥＤ点灯／消灯信号Ｓ４をハイレベルからローレベルに立ち下げると、トランジスタ６がオフされ、ＬＥＤ電流Ｓ６Ａはハイレベルからローレベルに立ち下がり、ＬＥＤ７は消灯する。
【００６８】
このＬＥＤ点灯／消灯信号Ｓ４の立下りに応じて、スイッチ９は端子Ａ５から端子Ａ６に切り替えられ、切替スイッチ３は端子Ａ３に切り替えられる。このため、記憶回路４の容量Ｃ１に記憶された昇圧回路２の出力電圧に対応する電圧が、端子Ａ３を介して昇圧回路２にフィードバックされる。この結果、昇圧回路出力電圧Ｓ５Ａは、引き続き電圧閾値Ｔｈ１以上の値を維持する。
【００６９】
その後、時刻Ｔ４において、発光パターン発生器５が、ＬＥＤ点灯／消灯信号Ｓ４を、ローレベルからハイレベルに立ち上げると、トランジスタ６が再びオンされ、切替スイッチ３が再び端子Ａ２側に切り替えられ、スイッチ９が再び端子Ａ５側に切り替わる。このため、昇圧回路２の出力電圧が記憶回路４の容量Ｃ１に再び記憶され、ＬＥＤ電流が端子Ａ２を介して昇圧回路２にフィードバックされる。
【００７０】
昇圧回路出力電圧Ｓ５Ａは電圧閾値Ｔｈ１以上の値を維持し、トランジスタ６のオンに応じて、ＬＥＤ電流Ｓ６Ａはローレベルからハイレベルに立ち上がり、ＬＥＤ７が再び点灯する。
【００７１】
以降、時刻Ｔ１１、時刻Ｔ７、時刻Ｔ１２において同様の動作を繰り返す。
【００７２】
（実施の形態１の効果）
このように、ＬＥＤ点灯時は、ＬＥＤ電流をフィードバックし、ＬＥＤ電流が所望の値になるように、昇圧回路２の発振を調整して出力電圧を調整し（電流制御）、ＬＥＤ消灯時は、ＬＥＤ点灯時の昇圧回路２の出力電圧を維持するように、昇圧回路２の発振を調整する（電圧制御）。これにより、ＬＥＤの点灯時間が短くても、昇圧回路２の出力電圧が低下することが無いため、ＬＥＤを点灯することが可能となる。
【００７３】
図９で前述した特許文献１の構成では、ＬＥＤ点灯時にＬＥＤ電流を昇圧回路にフィードバックし、ＬＥＤ消灯時は昇圧回路の発振を停止するが、本実施の形態では、ＬＥＤ点灯時はＬＥＤ電流を昇圧回路にフィードバックし、ＬＥＤ消灯時は昇圧回路の出力電圧を昇圧回路にフィードバックし、ＬＥＤ点灯時の昇圧回路出力を維持する。
【００７４】
このため、図９の構成では、ＬＥＤ点灯時間が短くなると、ＬＥＤを点灯できなくなるが、本実施の形態は、ＬＥＤ点灯時間を短くしても、ＬＥＤを点灯できる。
【００７５】
図１０で前述した特許文献２の構成では、ＬＥＤ点灯/消灯の切替えを、主に昇圧回路のオン、オフにより実施しているのに対し、本実施の形態は、ＦＥＴ等のトランジスタ６（スイッチ）にてＬＥＤ回路を導通/切断することによって、ＬＥＤ点灯/消灯の切替えを行なっている。
【００７６】
このため、図１０の構成は、放電回路を追加して改善はしているが、昇圧回路のオン／オフでＬＥＤ点灯／消灯を行っているため、本実施の形態に比べてＬＥＤを点灯・消灯する切替えが遅い。本実施の形態のように、ＦＥＴ等のスイッチによって、直接、ＬＥＤ回路を導通／切断する方が高速にＬＥＤを点灯・消灯する切替えが行なえる。
【００７７】
なお、実施の形態１では、トランジスタ６のオンオフを指定するオンオフ信号を生成する発光パターン発生器５をＬＥＤ駆動装置１が備えている例を示したが、本発明はこれに限定されない。トランジスタ６のオンオフを指定するオンオフ信号はＬＥＤ駆動装置１の外部から受け取るように構成してもよい。後述する実施の形態も同様である。
【００７８】
（実施の形態２）
（ＬＥＤ駆動装置１Ａの構成）
図４は、実施の形態２に係るＬＥＤ駆動装置１Ａの構成を示す回路図である。前述した構成要素と同一の構成要素には同一の参照符号を付している。これらの構成要素の詳細な説明は繰り返さない。
【００７９】
ＬＥＤ駆動装置１Ａは、記憶回路４Ａを備えている。記憶回路４Ａには、スイッチ９が設けられている。スイッチ９は、端子Ａ４・Ａ５・Ａ６を有している。
【００８０】
端子Ａ４は、電源１２のマイナス端子に接続されている。電源１２のプラス端子と、増幅器８Ｂの反転入力端子とは、直列に接続された抵抗Ｒ１・Ｒ２を介して昇圧回路２の出力に結合されている。端子Ａ５は、増幅器８Ｂの非反転入力端子と容量Ｃ１の一方の端子に接続されている。容量Ｃ１の他方の端子は接地されている。スイッチ９は、発光パターン生成器５の出力に基づいて、端子Ａ４を端子Ａ５と端子Ａ６とのいずれかに接続する。
【００８１】
（比較例に係るＬＥＤ駆動装置の動作）
図５（ａ）、（ｂ）は他の比較例に係るＬＥＤ駆動装置の動作を示す波形図である。他の比較例に係るＬＥＤ駆動装置では、ノイズや部品バラツキ等でＬＥＤ消灯時の昇圧回路の出力電圧が、点灯時の昇圧回路出力電圧よりも高い電圧となってしまった場合、ＬＥＤ点灯時に設定よりも大きなＬＥＤ電流が流れてしまうという問題がある。
【００８２】
まず、図５（ａ）を参照してＬＥＤ点灯時間が長い場合の動作を説明する。時刻Ｔ１において、ＬＥＤ点灯／消灯信号Ｓ１は、消灯を示すローレベルから点灯を示すハイレベルに立ち上がり、昇圧回路出力電圧Ｓ２Ｂは下降を開始する。ＬＥＤ電流Ｓ３Ｂは、ローレベルから、設定されたハイレベルよりも高いレベルにまで立ち上がり、下降を開始する。そして、時刻Ｔ１３において、昇圧回路出力電圧Ｓ２Ｂ及びＬＥＤ電流Ｓ３Ｂは、下降を終了する。
【００８３】
次に、時刻Ｔ３において、ＬＥＤ点灯／消灯信号Ｓ１がハイレベルからローレベルに立ち下がると、昇圧回路出力電圧Ｓ２Ｂは、ノイズや部品バラツキ等により、点灯時の昇圧回路出力電圧よりも高い電圧に向かって上昇する。ＬＥＤ電流Ｓ３Ｂは、ハイレベルからローレベルに立ち下がる。その後、時刻Ｔ１４において、昇圧回路出力電圧Ｓ２Ｂは上昇を停止する。
【００８４】
そして、時刻Ｔ４において、ＬＥＤ点灯／消灯信号Ｓ１がローレベルからハイレベルに立ち上がると、昇圧回路出力電圧Ｓ２Ｂは下降を開始し、ＬＥＤ電流Ｓ３Ｂは、ローレベルから、設定されたハイレベルよりも高いレベルにまで立ち上がり、下降を開始する。そして、時刻Ｔ１５において、昇圧回路出力電圧Ｓ２Ｂ及びＬＥＤ電流Ｓ３Ｂは、下降を終了する。
【００８５】
その後、時刻Ｔ６、時刻Ｔ１６、時刻Ｔ７、時刻Ｔ１７、時刻Ｔ９において同様の動作を繰り返す。
【００８６】
次に、図５（ｂ）を参照してＬＥＤ点灯時間が短い場合の動作を説明する。時刻Ｔ１において、ＬＥＤ点灯／消灯信号Ｓ４は、消灯を示すローレベルから点灯を示すハイレベルに立ち上がり、昇圧回路出力電圧Ｓ５Ｂは下降を開始する。ＬＥＤ電流Ｓ６Ｂは、ローレベルから、設定されたハイレベルよりも高いレベルにまで立ち上がり、下降を開始する。そして、時刻Ｔ１３において、昇圧回路出力電圧Ｓ２Ｂ及びＬＥＤ電流Ｓ３Ｂは、下降を終了する。
【００８７】
次に、時刻Ｔ１０において、ＬＥＤ点灯／消灯信号Ｓ４がハイレベルからローレベルに立ち下がると、昇圧回路出力電圧Ｓ５Ｂは、ノイズや部品バラツキ等により、点灯時の昇圧回路出力電圧よりも高い電圧に向かって上昇する。ＬＥＤ電流Ｓ６Ｂは、ハイレベルからローレベルに立ち下がる。その後、時刻Ｔ１８において、昇圧回路出力電圧Ｓ５Ｂは上昇を停止する。
【００８８】
そして、時刻Ｔ４において、ＬＥＤ点灯／消灯信号Ｓ４がローレベルからハイレベルに立ち上がると、昇圧回路出力電圧Ｓ５Ｂは下降を開始し、ＬＥＤ電流Ｓ６Ｂは、ローレベルから、設定されたハイレベルよりも高いレベルにまで立ち上がり、下降を開始する。そして、時刻Ｔ１５において、昇圧回路出力電圧Ｓ５Ｂ及びＬＥＤ電流Ｓ６Ｂは、下降を終了する。
【００８９】
その後、時刻Ｔ１１、時刻Ｔ１９、時刻Ｔ７、時刻Ｔ１７、時刻Ｔ１２、時刻Ｔ２０において同様の動作を繰り返す。
【００９０】
このように、他の比較例に係るＬＥＤ駆動装置では、例えば時刻Ｔ１８〜時刻Ｔ４において、ノイズや部品バラツキ等により、ＬＥＤ消灯時の昇圧回路の出力電圧が、点灯時の昇圧回路出力電圧よりも高い電圧となってしまった場合、例えば、ＬＥＤ点灯時の時刻Ｔ４〜時刻Ｔ１５において、設定よりも大きなＬＥＤ電流が流れてしまうという問題がある。
【００９１】
（実施の形態２に係るＬＥＤ駆動装置１Ａの動作）
図６（ａ）、（ｂ）は実施の形態２に係るＬＥＤ駆動装置１Ａの動作を示す波形図である。図６（ａ）、（ｂ）に示すように、実施の形態２に係るＬＥＤ駆動装置１Ａでは、消灯時の昇圧回路の出力電圧を、点灯時の出力電圧より少し低い電圧値に設定する。
【００９２】
図５で前述したように、ノイズや部品バラツキ等により、ＬＥＤ消灯時の昇圧回路の出力電圧が、点灯時の昇圧回路出力電圧よりも高い電圧となってしまった場合、ＬＥＤ点灯時に設定よりも大きなＬＥＤ電流が流れてしまう。
【００９３】
しかしながら、この実施の形態２に係る構成によって、点灯開始時の昇圧回路出力電圧は、点灯時にＬＥＤ電流を流すことができる電圧よりも低い電圧となっているため、設定値よりも大きなＬＥＤ電流が流れることがなくなる。
【００９４】
まず、図６（ａ）を参照してＬＥＤ点灯時間が長い場合の動作を説明する。時刻Ｔ１において、発光パターン発生器５が、ＬＥＤ点灯／消灯信号Ｓ１を、消灯を示すローレベルから点灯を示すハイレベルに立ち上げると、トランジスタ６がオンされ、切替スイッチ３がＬＥＤ電流に対応する端子Ａ２側に切り替えられ、スイッチ９が端子Ａ５側に切り替わる。昇圧回路２の出力電圧は、電源１２に対応する電圧値だけ低減されて、記憶回路４の容量Ｃ１に記憶される。
【００９５】
昇圧回路出力電圧Ｓ２Ｃは、ＬＥＤ７が点灯する電圧閾値Ｔｈ１よりも低い電圧値Ｔｈ２から上昇を開始する。そして、時刻Ｔ２１において、昇圧回路出力電圧Ｓ２Ｃが、ＬＥＤ７が点灯する電圧閾値Ｔｈ１に到達すると、ＬＥＤ電流Ｓ３Ｃが、ローレベルからハイレベルに立ち上がり、ＬＥＤ７が点灯する。そして、ＬＥＤ電流が端子Ａ２を介して昇圧回路２にフィードバックされる。
【００９６】
その後、時刻Ｔ３において、発光パターン発生器５がＬＥＤ点灯／消灯信号Ｓ１をハイレベルからローレベルに立ち下げると、トランジスタ６がオフされ、ＬＥＤ電流Ｓ３Ｃはハイレベルからローレベルに立ち下がり、ＬＥＤ７は消灯する。切替スイッチ３は端子Ａ３に切り替えられ、スイッチ９は端子Ａ６に切り替えられる。そして、昇圧回路２の出力電圧から電源１２に対応する電圧値だけ低減された電圧が容量Ｃ１から読み出され、昇圧回路２にフィードバックされる。昇圧回路出力電圧Ｓ２Ｃは減少を開始する。
【００９７】
そして、時刻Ｔ４において、発光パターン発生器５が、ＬＥＤ点灯／消灯信号Ｓ１を、ローレベルからハイレベルに立ち上げると、昇圧回路出力電圧Ｓ２Ｃは、電圧値Ｔｈ２に到達する。
【００９８】
次に、時刻Ｔ２２において、昇圧回路出力電圧Ｓ２Ｃが、ＬＥＤ７が点灯する電圧閾値Ｔｈ１に到達すると、ＬＥＤ電流Ｓ３Ｃが、ローレベルからハイレベルに立ち上がり、ＬＥＤ７が点灯する。そして、ＬＥＤ電流が端子Ａ２を介して昇圧回路２にフィードバックされる。
【００９９】
以降、時刻Ｔ６、時刻Ｔ７、時刻Ｔ２３、時刻Ｔ９において、同様の動作を繰り返す。
【０１００】
次に、図６（ｂ）を参照してＬＥＤ点灯時間が短い場合の動作を説明する。時刻Ｔ１において、発光パターン発生器５が、ＬＥＤ点灯／消灯信号Ｓ４を、消灯を示すローレベルから点灯を示すハイレベルに立ち上げると、トランジスタ６がオンされ、切替スイッチ３がＬＥＤ電流に対応する端子Ａ２側に切り替えられ、スイッチ９が端子Ａ５側に切り替わる。昇圧回路２の出力電圧は、電源１２に対応する電圧値だけ低減されて、記憶回路４の容量Ｃ１に記憶される。
【０１０１】
昇圧回路出力電圧Ｓ５Ｃは、ＬＥＤ７が点灯する電圧閾値Ｔｈ１よりも低い電圧値Ｔｈ２から上昇を開始する。そして、時刻Ｔ２１において、昇圧回路出力電圧Ｓ５Ｃが、ＬＥＤ７が点灯する電圧閾値Ｔｈ１に到達すると、ＬＥＤ電流Ｓ６Ｃが、ローレベルからハイレベルに立ち上がり、ＬＥＤ７が点灯する。そして、ＬＥＤ電流が端子Ａ２を介して昇圧回路２にフィードバックされる。
【０１０２】
その後、時刻Ｔ１０において、発光パターン発生器５がＬＥＤ点灯／消灯信号Ｓ４をハイレベルからローレベルに立ち下げると、トランジスタ６がオフされ、ＬＥＤ電流Ｓ６Ｃはハイレベルからローレベルに立ち下がり、ＬＥＤ７は消灯する。切替スイッチ３は端子Ａ３に切り替えられ、スイッチ９は端子Ａ６に切り替えられる。そして、昇圧回路２の出力電圧から電源１２に対応する電圧値だけ低減された電圧が容量Ｃ１から読み出され、昇圧回路２にフィードバックされる。昇圧回路出力電圧Ｓ５Ｃは減少を開始する。
【０１０３】
そして、時刻Ｔ２４において、昇圧回路出力電圧Ｓ５Ｃは電圧値Ｔｈ２に到達し、減少を停止する。
【０１０４】
次に、時刻Ｔ４において、発光パターン発生器５が、ＬＥＤ点灯／消灯信号Ｓ４を、ローレベルからハイレベルに立ち上げると、トランジスタ６がオンされ、切替スイッチ３がＬＥＤ電流に対応する端子Ａ２側に切り替えられ、スイッチ９が端子Ａ５側に切り替わる。昇圧回路２の出力電圧は、電源１２に対応する電圧値だけ低減されて、記憶回路４の容量Ｃ１に記憶される。
【０１０５】
昇圧回路出力電圧Ｓ５Ｃは、電圧値Ｔｈ２から上昇を開始する。そして、時刻Ｔ２２において、昇圧回路出力電圧Ｓ５Ｃが、ＬＥＤ７が点灯する電圧閾値Ｔｈ１に到達すると、ＬＥＤ電流Ｓ６Ｃが、ローレベルからハイレベルに立ち上がり、ＬＥＤ７が点灯する。そして、ＬＥＤ電流が端子Ａ２を介して昇圧回路２にフィードバックされる。
【０１０６】
その後、時刻Ｔ１１において、発光パターン発生器５がＬＥＤ点灯／消灯信号Ｓ４をハイレベルからローレベルに立ち下げると、トランジスタ６がオフされ、ＬＥＤ電流Ｓ６Ｃはハイレベルからローレベルに立ち下がり、ＬＥＤ７は消灯する。切替スイッチ３は端子Ａ３に切り替えられ、スイッチ９は端子Ａ６に切り替えられる。そして、昇圧回路２の出力電圧から電源１２に対応する電圧値だけ低減された電圧が容量Ｃ１から読み出され、昇圧回路２にフィードバックされる。昇圧回路出力電圧Ｓ５Ｃは減少を開始する。
【０１０７】
そして、時刻Ｔ２５において、昇圧回路出力電圧Ｓ５Ｃは電圧値Ｔｈ２に到達し、減少を停止する。
【０１０８】
以降、時刻Ｔ７、時刻Ｔ２３、時刻Ｔ１２、時刻Ｔ２６において、同様の動作を繰り返す。
【０１０９】
（実施の形態２の効果）
このように、実施の形態２に係るＬＥＤ駆動装置１Ａでは、消灯時の昇圧回路の出力電圧Ｓ２Ｃ・Ｓ５Ｃを、点灯時の電圧閾値Ｔｈ１より少し低い電圧値Ｔｈ２に設定する。例えば、電圧閾値Ｔｈ１＝２００Ｖのときに、電圧値Ｔｈ２＝電圧閾値Ｔｈ１−（図４に示される電源１２の電圧（＝１０Ｖ））＝１９０Ｖに設定する。
【０１１０】
図５で前述したように、ノイズや部品バラツキ等により、ＬＥＤ消灯時の昇圧回路の出力電圧が、点灯時の昇圧回路出力電圧よりも高い電圧となってしまった場合、ＬＥＤ点灯時に設定よりも大きなＬＥＤ電流が流れてしまう。
【０１１１】
しかしながら、この実施の形態２に係る構成によって、点灯開始時の昇圧回路出力電圧Ｓ５Ｃは、点灯時にＬＥＤ電流を流すことができる電圧Ｔｈ１よりも低い電圧Ｔｈ２となっているため、消灯時における昇圧回路出力電圧の増大が相殺されて、設定値よりも大きなＬＥＤ電流が流れることがなくなる。
【０１１２】
（実施の形態３）
（実施の形態３に係るＬＥＤ駆動装置１Ｂの構成）
図７は、実施の形態３に係るＬＥＤ駆動装置１Ｂの構成を示す回路図である。前述した構成要素と同一の構成要素には同一の参照符号を付している。これらの構成要素の詳細な説明は繰り返さない。
【０１１３】
ＬＥＤ駆動装置１Ｂは、電圧供給部４Ｂを有している。電圧供給部４Ｂは、電源１３を含んでいる。電源１３のプラス端子は増幅器８Ｂの非反転入力端子に接続されており、マイナス端子は接地されている。
【０１１４】
（実施の形態３に係るＬＥＤ駆動装置１Ｂの動作）
図８（ａ）、（ｂ）は実施の形態３に係るＬＥＤ駆動装置１Ｂの動作を示す波形図である。図７、図８（ａ）、（ｂ）に示すように、消灯時の昇圧回路の出力電圧Ｓ２Ｃ・Ｓ５Ｃを、点灯時の出力電圧に応じて調整するのではなく、あらかじめ決めた電圧値Ｔｈ３に設定してもよい。
【０１１５】
これにより、点灯時の昇圧電力を記憶する回路が必要なくなるため、回路を簡略化することができる。
【０１１６】
まず、図８（ａ）を参照してＬＥＤ点灯時間が長い場合の動作を説明する。時刻Ｔ１において、発光パターン発生器５が、ＬＥＤ点灯／消灯信号Ｓ１を、消灯を示すローレベルから点灯を示すハイレベルに立ち上げると、トランジスタ６がオンされ、切替スイッチ３がＬＥＤ電流に対応する端子Ａ２側に切り替えられる。昇圧回路２の出力電圧は、抵抗Ｒ１、Ｒ２，及びＲ３により分圧されて、増幅器８Ｂの反転入力端子に供給される。
【０１１７】
昇圧回路出力電圧Ｓ２Ｃは、予め定められた電圧値Ｔｈ３から上昇を開始する。そして、時刻Ｔ２１において、昇圧回路出力電圧Ｓ２Ｃが、ＬＥＤ７が点灯する電圧閾値Ｔｈ１に到達すると、ＬＥＤ電流Ｓ３Ｃが、ローレベルからハイレベルに立ち上がり、ＬＥＤ７が点灯する。そして、ＬＥＤ電流が端子Ａ２を介して昇圧回路２にフィードバックされる。
【０１１８】
その後、時刻Ｔ３において、発光パターン発生器５がＬＥＤ点灯／消灯信号Ｓ１をハイレベルからローレベルに立ち下げると、トランジスタ６がオフされ、ＬＥＤ電流Ｓ３Ｃはハイレベルからローレベルに立ち下がり、ＬＥＤ７は消灯する。切替スイッチ３は端子Ａ３に切り替えられ、そして、予め定められた電圧値Ｔｈ３に対応する電圧がスイッチＡ３を介して、昇圧回路２にフィードバックされる。昇圧回路出力電圧Ｓ２Ｃは減少を開始する。
【０１１９】
そして、時刻Ｔ４において、発光パターン発生器５が、ＬＥＤ点灯／消灯信号Ｓ１を、ローレベルからハイレベルに立ち上げると、昇圧回路出力電圧Ｓ２Ｃは、電圧値Ｔｈ３に到達する。
【０１２０】
次に、時刻Ｔ２２において、昇圧回路出力電圧Ｓ２Ｃが、ＬＥＤ７が点灯する電圧閾値Ｔｈ１に到達すると、ＬＥＤ電流Ｓ３Ｃが、ローレベルからハイレベルに立ち上がり、ＬＥＤ７が点灯する。そして、ＬＥＤ電流が端子Ａ２を介して昇圧回路２にフィードバックされる。
【０１２１】
以降、時刻Ｔ６、時刻Ｔ７、時刻Ｔ２３、時刻Ｔ９において、同様の動作を繰り返す。
【０１２２】
次に、図６（ｂ）を参照してＬＥＤ点灯時間が短い場合の動作を説明する。時刻Ｔ１において、発光パターン発生器５が、ＬＥＤ点灯／消灯信号Ｓ４を、消灯を示すローレベルから点灯を示すハイレベルに立ち上げると、トランジスタ６がオンされ、切替スイッチ３がＬＥＤ電流に対応する端子Ａ２側に切り替えられる。
【０１２３】
昇圧回路出力電圧Ｓ５Ｃは、予め定められた電圧値Ｔｈ３から上昇を開始する。そして、時刻Ｔ２１において、昇圧回路出力電圧Ｓ５Ｃが、ＬＥＤ７が点灯する電圧閾値Ｔｈ１に到達すると、ＬＥＤ電流Ｓ６Ｃが、ローレベルからハイレベルに立ち上がり、ＬＥＤ７が点灯する。そして、ＬＥＤ電流が端子Ａ２を介して昇圧回路２にフィードバックされる。
【０１２４】
その後、時刻Ｔ１０において、発光パターン発生器５がＬＥＤ点灯／消灯信号Ｓ４をハイレベルからローレベルに立ち下げると、トランジスタ６がオフされ、ＬＥＤ電流Ｓ６Ｃはハイレベルからローレベルに立ち下がり、ＬＥＤ７は消灯する。切替スイッチ３は端子Ａ３に切り替えられる。そして、予め定められた電源１３の電圧値Ｔｈ３に対応する電圧が端子Ａ３を通して昇圧回路２にフィードバックされる。昇圧回路出力電圧Ｓ５Ｃは減少を開始する。
【０１２５】
そして、時刻Ｔ２４において、昇圧回路出力電圧Ｓ５Ｃは電圧値Ｔｈ３に到達し、減少を停止する。
【０１２６】
以降、時刻Ｔ４，時刻Ｔ２２、時刻Ｔ１１、時刻Ｔ２５、時刻Ｔ７、時刻Ｔ２３、時刻Ｔ１２、時刻Ｔ２６において、同様の動作を繰り返す。
【０１２７】
（実施の形態３の効果）
このように、消灯時の昇圧回路の出力電圧Ｓ２Ｃ・Ｓ５Ｃを、あらかじめ決めた電圧値Ｔｈ３に設定するので、点灯時の昇圧電力を記憶する回路が必要なくなるため、回路を簡略化することができる。例えば、電圧閾値Ｔｈ１＝２００Ｖのとき、電圧値Ｔｈ３＝１９０Ｖに設定する。
【０１２８】
（適用例）
上述したＬＥＤ駆動装置は、テレビジョン受像機のバックライトを駆動するために好適に利用することができる。また、上記ＬＥＤ駆動装置は、ＬＥＤ照明装置に好適に利用することができる。
【０１２９】
また、上記ＬＥＤ駆動装置を備え、上記ＬＥＤ駆動装置によってバックライトを駆動するテレビジョン受像機、並びに、上記ＬＥＤ駆動装置を備えた照明装置も本明細書に記載された発明の範疇に含まれる。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３１】
本発明は、昇圧回路を備え、スイッチング素子のオンオフを指定するオンオフ信号に基づいて、スイッチング方式にてＬＥＤを駆動するＬＥＤ駆動装置に利用することができる。
【０１３２】
また、本発明は、液晶テレビのバックライトのＬＥＤ駆動回路、ＬＥＤ照明の駆動回路に利用することができる。
【符号の説明】
【０１３３】
１  ＬＥＤ駆動装置
２  昇圧回路
３  切替スイッチ（切替手段）
４  記憶回路
５  発光パターン発生器
６  トランジスタ（スイッチング素子）
７  ＬＥＤ
８Ａ  増幅器
８Ｂ  増幅器
９  スイッチ
１１  電源
【図１】
2014003143.tif 000003
【図２】
2014003143.tif 000004
【図３】
2014003143.tif 000005
【図４】
2014003143.tif 000006
【図５】
2014003143.tif 000007
【図６】
2014003143.tif 000008
【図７】
2014003143.tif 000009
【図８】
2014003143.tif 000010
【図９】
2014003143.tif 000011
【図１０】
2014003143.tif 000012